(57)【要約】【課題】  人の生活態様を個々の行動単位に区分した時系列的色彩模様に形成し、該模様を視覚媒体に適用して図案化する新規方法を提供する。【解決手段】  電子機器による情報処理機構を用いた処理により、所定の期間内に於ける人の生活態様を、個々の行動単位毎の所要時間を基準として区分した時系列的色彩模様に形成し、面状又は立体状の視覚媒体に該模様を適用して図案化する視覚媒体に図案を形成する方法において、前記個々の行動単位を、該行動が人に誘起させる心理効果に対応した色に色分け区分した模様で図案化することを特徴とする視覚媒体に図案を形成する方法。【選択図】          図  ２
2006081134.tif 000002
【特許請求の範囲】
【請求項１】
電子機器による情報処理機構を用いた処理により、所定の期間内に於ける人の生活態様を、個々の行動単位毎の所要時間を基準として区分した時系列的色彩模様に形成し、面状又は立体状の視覚媒体に該模様を適用して図案化する視覚媒体に図案を形成する方法において、
前記個々の行動単位を、該行動が人に誘起させる心理効果に対応した色に色分け区分した模様で図案化することを特徴とする視覚媒体に図案を形成する方法。
【請求項２】
前記色彩模様が、前記個々の行動単位の所要時間を基準に区分した筋又は柱状グラフに対応させて配列した横縞帯状の時系列色彩模様であることを特徴とする請求項１記載の方法。
【請求項３】
前記電子機器による情報処理機構が、サーバー含むインターネットシステムに接続可能な機能を備えた電子計算機であることを特徴とする前項迄の請求項の何れかに記載の方法。
【請求項４】
前記電子機器による情報処理機構が、更に、携帯電話及び／又はＧＰＳを組合せてなることを特徴とする請求項３記載の方法。
【発明の詳細な説明】
【技術分野】
【０００１】  本発明は視覚媒体に図案を形成する方法に関し、より詳細には、広告塔、広告柱、掲示板、雑誌、パンフレット等の刊行物の表紙等の他、ポスター、カレンダー、ビラ、カード、チラシ、ステッカー、パッケージ、ＣＤジャケット、布地、ウェブ等のモニター表示画面、プロダクト、交通広告等の平面又は立体の視覚媒体の一部又は全体に図案を形成する方法に関する。
【背景技術】
【０００２】  例えば、一日、一週間、一月、一年等の所定の期間に於ける人の生活態様を、個々の行動単位毎の所要時間を基準として時系列的に区分して得られた円グラフ、棒グラフ、色彩模様等は良く知られ、これを用いて生活管理や業務管理、マーケティング等に役立てることも、既に一般的に行われている。【０００３】  又、個人の行動履歴を可能な限り自動的に電子計算機に記録し、その活用を図るために用いるプログラムや該得られた個人情報を記録する方法等も、既に、例えば、特許文献１等に提案されている。
【特許文献１】            特開２００３−２５９４２３号公報
【発明の開示】
【発明が解決しようとする課題】
【０００４】  しかしながら、従来、上述したようなグラフや模様等を広告搭や柱、掲示板、雑誌、パンフレット等の平面又は立体の視覚媒体に図案として適用した例は殆ど無く、特に、色模様として、人の生活態様に於ける個々の行動単位を、該行動が人に誘起させる心理効果に対応した色に色分け区分したものは、図案として人の心理に訴える効果が強いにもかかわらず、本発明者の知る限り、公開されたものは見られない。【０００５】  従って、本発明の目的は、人の生活態様を個々の行動単位に区分した時系列的色彩模様に形成し、該模様を視覚媒体に適用して図案化する新規方法を提供するにある。
【課題を解決するための手段】
【０００６】  本発明によれば、電子機器による情報処理機構を用いた処理により、所定の期間内に於ける人の生活態様を、個々の行動単位毎の所要時間を基準として区分した時系列的色彩模様に形成し、面状又は立体状の視覚媒体に該模様を適用して図案化する視覚媒体に図案を形成する方法において、
前記個々の行動単位を、該行動が人に誘起させる心理効果に対応した色に色分け区分した模様で図案化することを特徴とする視覚媒体に図案を形成する方法が提供される。【０００７】  本発明の図案形成方法は、インターネット接続電子計算機等の電子機器情報処理機構を用いて、人の生活態様を個々の行動単位毎に時系列的に区分した、所謂、ライフストライプ模様を形成するに際し、該単位行動が人に誘起させる心理効果に対応した色に色分け区分した模様として図案化することが構成上の顕著な特徴である。
これにより、本発明の図案は、単に新規であるというだけでなく、人の心理に生活感を強く訴えかけると云う特有の効果を奏する。【０００８】  そして、本発明に於いては、前記色彩模様は、前記個々の行動単位を所要時間を基準に区分した筋又は柱状グラフに対応させて配列した横縞帯状の時系列色彩模様であることが、前記心理効果の点でより好ましい。【０００９】  更に、前記電子機器による情報処理機構が、サーバーを含むインターネットシステムに接続可能な機能を備えた電子計算機であることが好ましく、特に、前記機構が、更に、携帯電話及び／又はＧＰＳを組合せてなることが、人の行動履歴の可成りの部分を自動的に作成出来る点から好ましい。
【発明の効果】
【００１０】  本発明の方法は、人の所定期間内の生活態様を、個々の行動単位毎にその行動が人に与える心理効果に対応した色を用いて時系列的に区分した模様で視覚媒体に図案を形成するものであるため、結果として得られる図案が予想外であったり、或いは親近感を与えるものであったりして、人に強い印象を与える図案を容易に創作形成出来る。
【発明を実施するための最良の形態】
【００１１】  以下に、本発明の視覚媒体に図案を形成する方法の実施の形態について図面を参照して詳細且つ具体的に説明する。
図１は、本発明の方法を実施するために用いる電子機器による情報処理機構のシステム構成の一例を模式的に示した説明用略図である。
又、図２（ａ）〜（ｄ）は本発明で用いるライフストライプの作成手順を説明するための模式図である。【００１２】  既に、述べた通り、本発明の方法は、例えば、インターネット接続機能を備えた電子計算機等からなる情報処理機構を用いた処理により、一日、一週、一月等の所定期間内に於ける人の生活態様を、仕事、食事、娯楽等個々の行動単位毎の所要時間を基準として区分した時系列的色彩模様、所謂ライフストライプ模様に形成し、広告塔、広告柱、掲示板、雑誌、パンフレット、ポスター、カレンダー、ビラ、カード等の面状又は立体状の視覚媒体に該模様を適用して図案化するに際し、
前記個々の行動単位を、該行動が人に誘起させる心理効果に対応した色、例えば、食事は橙色、仕事は青色、スポーツは空色、デートは桃色等に色分け区分した模様で図案化することを特徴とする。【００１３】  本発明の方法において、模様形成処理に用いる電子機器による情報処理機構としては、例えば、図１に示したような、サーバー装置１を含むインターネットシステムに接続可能な機能を備えた電子計算機２等が例示出来、更に、これに携帯電話及び／又はＧＰＳを組合せた機構は特に好適に用いられる。
しかしながら、本発明の方法においては、前記情報処理機構は必ずしもサーバーを含むインターネットに接続可能な電子計算機に限定されるものではなく、例えば、情報処理能力を有する携帯電話を用い、これに処理システム、データベース等をダウンロードして処理操作を遂行しても良い。【００１４】  具体的には、例えば、図１に示すように、インターネット上のサーバー装置１に、各個人或いは団体の名称とその生活態様を所謂ストライプ（一つの行動単位に対応）毎に区分したデータを管理するデータベース１ａ、それを操作するデータベース操作アプリケーション１ｂ、ストライプを表示編集するためのストライプ編集用アプリケーション１ｄ、そのアプリケーションの設定を記述した設定ファイル１ｃ等を格納し、ユーザーの端末コンピュータ２からインターネットを介してサーバー１にアクセス出来るようにしたものを用いる。【００１５】  更に、上記図１に示した機構に更に携帯電話及び／又はＧＰＳを組合せた態様の機構は、該携帯電話やＧＰＳにより人の外出時の行動や位置を知ることが出来、これにより人の行動履歴の可成りの部分を自動的に作成出来る点から特に好ましい。
より具体的には、例えば、移動を主にする職業の人はライフストライププログラムをＧＰＳ等と連動させ業務管理目的に採用することにより、行動項目の中の細分化された移動位置項目等を自動記録する。
又、ある目的で世界中を移動する人物は、ライフストライププログラムをＧＰＳ等と連動させ生活管理目的に採用することにより、行動項目と移動位置項目を自動記録する。【００１６】  上記インターネットサーバー１内のデータベース１ａには、人の各単位行動項目が各ストライプとして格納される。
単位行動項目としては、例えば、睡眠、食事、勉強、身支度、出勤、仕事、帰宅、メール、マッサージ、風呂、読書、買い物、友達と遊ぶ、美容、団らん、家事、カラオケ、体憩、育児、病院、趣味、習い事、電話、健康、電車乗車、バス乗車、飛行機、船乗船、打ち合わせ、イベント、散歩、テレビ鑑賞、インターネット、デート、喫煙、料理、ビデオ、整理整頓、スポーツ、観劇、ガーデニング、美術鑑賞等々を挙げることが出来、これらありとあらゆるジャンルから目的に合わせて幾つかの項目を選択し、使用することが出来る。【００１７】  又、本発明の方法では、各単位行動を表すストライプに、その行動に対して人が連想、誘起する色を夫々対応させる。【００１８】  例えば、睡眠は青紫系色、食事は橙系色、仕事は青系色、スポーツは空色系色、体息、くつろぎは黄緑系色、デートは桃系色、買物は黄系色、移動は青緑系色、テレビは赤紫系色等々に対応色分けする。【００１９】  次に上述した機構を用いて、本発明のストライプ模様を作成する操作手順について図１及び図２（ａ）〜（ｄ）を参照して説明する。【００２０】  「アプリケーションの起動」
ユーザーはそのコンピューター端末より、ネットワークを介してサーバー１と通信を行い、ストライプ編集用アプリケーション１ｄをダウンロードする。
該ダウンロードされたアプリケーション１ｄはユーザーの端末コンピューター２上で実行される（該端末コンピューター２上に転送されたアプリケーションを１ｄ’とする）。
アプリケーション１ｄ’はサーバー１と通信を行い、設定ファイル１ｃを取得する。
アプリケーション１ｄ’は設定ファイル１ｃに基づき操作画面を表示する際に用いる項目数、項目名、対応色彩情報等を変更する。
ライフストライプを作成するには、先ず、編集画面を表示させ（図２（ａ）参照）、次いで、該画面上でマウスポインタをスライドさせる等の操作によりライフストライプ作成対象者の所定期間内の生活パターンを前記各単位行動項目（例えば、睡眠、家事・雑用、テレビ・映画鑑賞、読書等）毎に時系列的に、且つ、その所要時間長さに対応させた幅で割付区分し（図２（ｂ））、その区分幅内に、予めその単位行動に対して割り付けられた色（例えば、睡眠＝青紫系色、家事・雑用＝青緑系色、テレビ・映画鑑賞＝赤紫色、読書＝緑色系色等）を着色する（図２（ｃ））。
そして対象者の所定期間内のタイムテーブルが全て色で埋まるまで操作を続け、ライフストライプ模様を完成させる（図２（ｄ））。【００２１】  「ユーザー自身のストライプを表示する場合」
前記アプリケーション１ｄ’の起動後、アプリケーションは前記サーバー１上のデータベース操作アプリケーション１ｂと通信を行い利用者が過去に入力したストライプのデータを取得する。
アプリケーション１ｄ’は取得したデータをもとにストライプを表示する。【００２２】  「ユーザー自身のストライプを編集する場合」
アプリケーション１ｄ’の起動後、アプリケーションはストライプの編集用画面を表示する。
ユーザーはその画面を使って前記した要領に基づきストライプを作成する。
アプリケーション１ｄ’は作成されたストライプのデータを、サーバー１上のデータベース操作アプリケーション１ｂに送信する。
データーベース操作アプリケーション１ｂは受信したストライプのデータをデーターベース１ａに登録する。【００２３】  「他者の編集したストライプを表示する場合」
アプリケーション１ｄ’の起動後、アプリケーションは他者のストライプを表示する際の手法の選択画面を表示する。
ユーザーはそれらの内の何れかを選択する。
アプリケーション１ｄ’はサーバー１上のデータベース操作アプリケーション１ｂと通信し、その表示方法に必要なストライプのデータを取得する。
アプリケーション１ｄ’は取得したデータをユーザーの指定した表示手法を用いて表示する。【００２４】  本発明の方法において、上述したようにクライアントがインターネットサーバーにアクセスするシステム構成を取ると、一つのデータを複数の人間で共有することが出来、それによって一つのデータ管理装置を用いて多数のユーザーのストライプが管理でき好都合である。
又、データを一元的に管理することによって、それらのデータを組み合わせてストライプ同士を比較するなどと云った表示方法が取れると云う利点も有する。【００２５】  本発明の方法に於ける、上記態様では人の行動履歴を表現する際、又は編集する際に「ストライプ」をもちいる。
従来技術では表示する際に同様の表現方法を用いることはあっても、編集する際には文字入力又はメニューを選択していく方式が一般的であった。
例えば業務内容を記録する際に、従来技術では開始時間と終了時間をプルダウンメニューから選択し、業務内容を文字入力し、送信ボタンを押すといった操作を項目毎に繰り返さなくてはいけなかった。
つまり、表示と編集に対して別々のインターフェースを用いていた。
そしてこのことがシステムの使い勝手を悪いものにしていた。
本発明の上記態様では編集の際にも表示の際と同様のインターフェースを用いるため、「ストライプ」の区切りをマウスでドラッグすることで所要時間の変更が容易に出来、更に、カラーサンプルを直接ストライプにドラッグアンドドロップすることによって項目の内容をも容易に変更できる。
例えば、上記、業務内容を入力する操作をする際には、業務内容が変わる時間ごとにストライプに区切りを入れ、区切りの間にその業務をあらわすカラーサンプルをドラッグするだけで従来技術と同様の内容を登録できる。
従って、従来に比べ編集作業の効率を著しく向上出来る利点を有する。
【図面の簡単な説明】
【００２６】
【図１】  本発明方法を実施するための電子機器情報処理機構のシステム構成の一例を模式的に示した説明用略図。
【図２】  （ａ）、（ｂ）、（ｃ）、（ｄ）は、本発明で用いるライフストライプの作成手順を説明するための模式図。
【符号の説明】
【００２７】  １        サーバー装置
１ａ      データベース
１ｂ      データベース操作アプリケーション
１ｃ      設定ファイル
１ｄ      ストライプ編集用アプリケーション
１ｄ’    転送ストライプ編集用アプリケーション
２        ユーザー端末コンピュータ
【図１】
2006081134.tif 000003
【図２】
2006081134.tif 000004